(57)【特許請求の範囲】
【請求項１】
周回する像保持体の表面に接触部が接触して、前記像保持体の表面に残留したトナーを掻き取る掻取部材と、
前記掻取部材が取り付けられ、前記掻取部材で掻き取られた前記トナーが収容される筐体と、
前記筐体に設けられ、前記掻取部材の背面に接触し、前記掻取部材で掻き取られた前記トナーを前記接触部に塞き止めて、前記掻取部材の前記接触部と前記像保持体とに接するトナー溜りを形成する塞止部材と、
前記掻取部材における前記像保持体の周回方向と交差する交差方向の両端部に配置され、前記像保持体と前記筐体との間を封止し、かつ、前記掻取部材における前記接触部から前記像保持体の周回方向下流側にずれた位置の背面に前記塞止部材を押し付ける封止部材と、
を備える除去装置。
【請求項２】
前記封止部材は、前記接触部に対する前記塞止部材の押し付けを回避する切欠部を、当該接触部における背面側に有する請求項１に記載の除去装置。
【請求項３】
前記塞止部材は、前記接触部に対する前記塞止部材の押し付けを回避する切欠部を、当該接触部における背面と前記封止部材との間に有する請求項１に記載の除去装置。
【請求項４】
装置本体と、
前記像保持体と、前記像保持体に残留したトナーを除去する請求項１〜３のいずれか１項の除去装置と、を有し、前記装置本体に対して引き出し可能に設けられ、前記像保持体に対して前記掻取部材が離間する方向へ前記装置本体から引き出される引出体と、
前記掻取部材の前記交差方向に少なくとも一部が重なるように前記除去装置の筐体に設けられ、前記引出体の引出方向に引っ張られる取っ手と、
を備える画像形成装置。
【発明の詳細な説明】
【技術分野】
【０００１】
本発明は、除去装置、画像形成装置に関する。
【背景技術】
【０００２】
特許文献１には、クリーナブレードで掻き取られた残留トナーを、塞き止めシートで塞き止めて、クリーナブレードのエッジ部分にトナー溜りを形成する構成が開示されている。
【先行技術文献】
【特許文献】
【０００３】
【特許文献１】特開平１１−１６１１２５号公報
【発明の概要】
【発明が解決しようとする課題】
【０００４】
本発明は、掻取部材における像保持体の周回方向と交差する交差方向の両端部にトナー溜りを形成でき、かつ、像保持体に対する掻取部材の接触圧の前記交差方向でのばらつきを抑制することを課題とする。
【課題を解決するための手段】
【０００５】
請求項１の発明は、周回する像保持体の表面に接触部が接触して、前記像保持体の表面に残留したトナーを掻き取る掻取部材と、前記掻取部材が取り付けられ、前記掻取部材で掻き取られた前記トナーが収容される筐体と、前記筐体に設けられ、前記掻取部材の背面に接触し、前記掻取部材で掻き取られた前記トナーを前記接触部に塞き止めて、前記掻取部材の前記接触部と前記像保持体とに接するトナー溜りを形成する塞止部材と、前記掻取部材における前記像保持体の周回方向と交差する交差方向の両端部に配置され、前記像保持体と前記筐体との間を封止し、かつ、前記掻取部材における前記接触部から前記像保持体の周回方向下流側にずれた位置の背面に前記塞止部材を押し付ける封止部材と、を備える除去装置である。
【０００６】
請求項２の発明は、前記封止部材は、前記接触部に対する前記塞止部材の押し付けを回避する切欠部を、当該接触部における背面側に有する請求項１に記載の除去装置である。
【０００７】
請求項３の発明は、前記塞止部材は、前記接触部に対する前記塞止部材の押し付けを回避する切欠部を、当該接触部における背面と前記封止部材との間に有する請求項１に記載の除去装置である。
【０００８】
請求項４の発明は、装置本体と、前記像保持体と、前記像保持体に残留したトナーを除去する請求項１〜３のいずれか１項の除去装置と、を有し、前記装置本体に対して引き出し可能に設けられ、前記像保持体に対して前記掻取部材が離間する方向へ前記装置本体から引き出される引出体と、前記掻取部材の前記交差方向に少なくとも一部が重なるように前記除去装置の筐体に設けられ、前記引出体の引出方向に引っ張られる取っ手と、を備える画像形成装置である。
【発明の効果】
【０００９】
本発明の請求項１の構成によれば、本構成における封止部材を備えない場合に比べ、掻取部材における像保持体の周回方向と交差する交差方向の両端部にトナー溜りを形成でき、かつ、像保持体に対する掻取部材の接触圧の前記交差方向でのばらつきが抑制できる。
【００１０】
本発明の請求項２の構成によれば、本構成における切欠部を有さない場合に比べ、塞止部材が複雑な形状となるのを抑制できる。
【００１１】
本発明の請求項３の構成によれば、本構成における切欠部を有さない場合に比べ、封止部材が複雑な形状となるのを抑制できる。
【００１２】
本発明の請求項２の構成によれば、本構成における取っ手を備えない場合に比べ、像保持体に対する掻取部材の接触圧の前記交差方向でのばらつきが抑制できる。
【図面の簡単な説明】
【００１３】
【図１】本実施形態に係る画像形成装置の構成を示す概略図である。
【図２】本実施形態に係る転写ユニットの構成を示す斜視図である。
【図３】本実施形態に係る転写ユニットの構成を示す概略側面図である。
【図４】本実施形態に係る除去装置の構成を示す側断面図である。
【図５】本実施形態に係る除去装置の構成を中間転写ベルト側から見た概略図である。
【図６】本実施形態に係るブレード、塞止フィルム及び封止部材の構成を示す斜視図である。
【図７】本実施形態に係るブレード、塞止フィルム、抑制フィルム及び封止部材の構成を示す概略図である。
【図８】変形例に係るブレード、塞止フィルム及び封止部材の構成を示す斜視図である。
【図９】変形例に係るブレード、塞止フィルム、抑制フィルム及び封止部材の構成を示す概略図である。
【発明を実施するための形態】
【００１４】
以下に、本発明に係る実施形態の一例を図面に基づき説明する。
【００１５】
（画像形成装置１０の構成）
まず、本実施形態に係る画像形成装置１０の構成を説明する。図１は、本実施形態に係る画像形成装置１０の構成を示す概略図である。なお、下記のＸ方向、−Ｘ方向、Ｙ方向（上方）、−Ｙ方向（下方）、Ｚ方向及び−Ｚ方向は、図中に示す矢印方向である。また、図中の「○」の中に「×」が記載されたものは、紙面の手前から奥へ向かう矢印を意味し、図中の「○」の中に「・」が記載されたものは、紙面の奥から手前へ向かう矢印を意味する。
【００１６】
画像形成装置１０は、図１に示されるように、各構成部品が設けられる画像形成装置本体１１を備えている。画像形成装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される排出部１８が設けられている。
【００１７】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される像保持体の一例としての中間転写ベルト２４を有する転写ユニット７０と、中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００１８】
画像形成ユニット２２Ｙ〜２２Ｋは、水平方向（Ｚ方向）に対して傾斜した状態で、画像形成装置本体１１に並んで配置されている。また、画像形成ユニット２２Ｙ〜２２Ｋは、一方向（例えば、図１における時計回り方向）へ回転する感光体３２をそれぞれ有している。なお、画像形成ユニット２２Ｙ〜２２Ｋは、同様に構成されているので、図１において、画像形成ユニット２２Ｍ、２２Ｃ、２２Ｋの各部の符号を省略している。
【００１９】
各感光体３２の周囲には、感光体３２の回転方向上流側から順に、感光体３２を帯電させる帯電装置としての帯電ロール２３と、帯電ロール２３によって帯電した感光体３２を後述の露光装置３６が露光することで感光体３２に形成された静電潜像を現像してトナー画像を形成する現像装置３８と、感光体３２に残留した残留トナーを除去する除去装置５９と、が設けられている。
【００２０】
画像形成ユニット２２Ｙ〜２２Ｋの斜め下方には、帯電ロール２３によって帯電した感光体３２を露光して感光体３２に静電潜像を形成する露光装置３６が設けられている。露光装置３６は、制御部２０から送られた画像信号に基づき静電潜像を形成するようになっている。制御部２０から送られる画像信号としては、例えば、制御部２０が外部装置から取得した画像信号がある。
【００２１】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２２】
転写ユニット７０は、中間転写ベルト２４に対して後述のブレード６４が離間する方向（矢印Ｃ方向）へ引き出し可能に画像形成装置本体１１に設けられている。すなわち、転写ユニット７０は、矢印Ｃ方向へ画像形成装置本体１１から引き出される引出体の一例として機能する。具体的には、転写ユニット７０は、画像形成装置本体１１の上部に設けられた開閉部１５０を開放した状態において、画像形成装置本体１１に対して引き出されるようになっている。
【００２３】
また、転写ユニット７０は、図２に示されるように、転写ユニット７０の骨格を構成する一対のフレーム部材７２を有している。一対のフレーム部材７２の引出方向（矢印Ｃ方向）に沿って長さを有している。
【００２４】
一対のフレーム部材７２の長手方向一端部（図２における左斜め上側の端部）には、記録媒体Ｐへトナー画像を転写した後に中間転写ベルト２４に残留した残留トナーを除去する除去装置６０が設けられている。なお、除去装置６０の具体的な構成については、後述する。
【００２５】
さらに、−Ｘ方向側のフレーム部材７２の長手方向一端部及び除去装置６０のＸ方向端部には、それぞれ、画像形成装置本体１１に対する転写ユニット７０の引き出しの際に作業者が把持するための取っ手７０Ａ、７０Ｂが設けられている。取っ手７０Ａは、図５に示されるように、具体的には、後述のブレード６４の長手方向に少なくとも一部が重なるように除去装置６０の筐体６２に設けられており、転写ユニット７０の引出方向に引っ張られるようになっている。なお、取っ手７０Ａは、図５に示されるように、後述の塞止フィルム９０及び後述の抑制フィルム９２等とも、その長手方向に少なくとも一部が重なっている。
【００２６】
また、中間転写ベルト２４は、図２に示されるように、一対のフレーム部材７２の間に配置されている。中間転写ベルト２４の内周側には、図３に示されるように、中間転写ベルト２４が巻き掛けられ回転駆動する駆動ロール４３と、中間転写ベルト２４が巻き掛けられ中間転写ベルト２４に張力を付与する張力付与部材としての張力付与ロール４５と、中間転写ベルト２４に巻き掛けられ中間転写ベルト２４を挟んで第２転写ロール２８に対向する対向ロール４２と、中間転写ベルト２４に巻き掛けられた巻掛ロール４４と、が設けられている。
【００２７】
駆動ロール４３は、一対のフレーム部材７２に回転可能に支持されており、駆動ロール４３が回転駆動することで、中間転写ベルト２４は、図３における反時計方向へ周回するようになっている。対向ロール４２及び巻掛ロール４４は、一対のフレーム部材７２に回転可能に支持されており、周回する中間転写ベルト２４に従動して回転するようになっている。
【００２８】
また、転写ユニット７０は、画像形成ユニット２２Ｙ〜２２Ｋで形成されたトナー画像を中間転写ベルト２４に転写する複数（４つ）の第１転写ロール２６を、中間転写ベルト２４の内周側に有している。各第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置Ｔ１とされている。
【００２９】
第２転写ロール２８は、図１に示されるように、中間転写ベルト２４を挟んで対向ロール４２に対向している。第２転写ロール２８と対向ロール４２との間が、中間転写ベルト２４に転写されたトナー画像が記録媒体Ｐに転写される第２転写位置Ｔ２とされている。
【００３０】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、を有している。
【００３１】
第２転写位置Ｔ２より搬送方向下流側には、画像形成部１４によって記録媒体Ｐに形成されたトナー画像を記録媒体Ｐに定着させる定着装置４０が設けられている。この定着装置４０より搬送方向下流側には、トナー画像が定着された記録媒体Ｐを排出部１８へ排出する排出ロール５２が設けられている。
【００３２】
また、片面にトナー画像が定着された記録媒体Ｐを反転させて、再び第２転写位置Ｔ２へ送り戻すための反転搬送路３７が、搬送路４８に対する中間転写ベルト２４とは反対側（Ｚ方向側）に設けられている。記録媒体Ｐの両面に画像を形成する際には、片面にトナー画像が定着された記録媒体Ｐが、排出ロール５２によりスイッチバックされて反転搬送路３７に導かれて第２転写位置Ｔ２へ送り戻されるようになっている。
【００３３】
（画像形成動作）
次に、本実施形態に係る画像形成装置１０における、記録媒体Ｐへ画像を形成する画像形成動作について説明する。
【００３４】
本実施形態に係る画像形成装置１０では、収容部１２から送出ロール４６によって送り出された記録媒体Ｐが、複数の搬送ロール５０によって第２転写位置Ｔ２へ送り込まれる。
【００３５】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置Ｔ１にて中間転写ベルト２４に重ねられて、カラー画像が形成される。そして、中間転写ベルト２４に形成されたカラー画像が、第２転写位置Ｔ２にて記録媒体Ｐへ転写される。
【００３６】
トナー画像が転写された記録媒体Ｐは、定着装置４０へ搬送され、転写されたトナー画像が定着装置４０により定着される。記録媒体Ｐの片面へのみ画像を形成する場合は、トナー画像が定着された後、記録媒体Ｐは排出ロール５２により排出部１８へ排出される。記録媒体Ｐの両面へ画像を形成する場合には、片面に画像が形成された後、記録媒体Ｐは、排出ロール５２でスイッチバックされ、反転して反転搬送路３７へ送り込まれる。さらに、反転搬送路３７から再び第２転写位置Ｔ２へ送り込まれ、画像が記録されていない反対面に、上記と同様に画像が形成され、記録媒体Ｐの両面へ画像が形成され、排出ロール５２により排出部１８へ排出される。以上のように、一連の画像形成動作が行われる。
【００３７】
（除去装置６０）
次に、中間転写ベルト２４に残留する残留トナーを除去する除去装置６０について説明する。
【００３８】
除去装置６０は、図３に示されるように、中間転写ベルト２４の外周において、中間転写ベルト２４を挟んで駆動ロール４３と対向する対向位置に設けられている。除去装置６０は、図４に示されるように、周回する中間転写ベルト２４の表面に接触部としてのエッジ（角部）６４Ａが接触して、中間転写ベルト２４の表面に残留した残留トナーを掻き取る掻取部材の一例としてのブレード６４と、ブレード６４が取り付けられた筐体６２と、を備えている。
【００３９】
筐体６２は、駆動ロール４３の軸方向に沿って長さを有すると共に（図５参照）、中間転写ベルト２４に対向する位置（中間転写ベルト２４側（Ｘ方向側））で開口する開口部６２Ａを有している。筐体６２の内部には、ブレード６４で除去された残留トナーが収容される収容空間Ｓが形成されている。筐体６２の収容空間Ｓには、収容空間Ｓに収容された残留トナーをトナー収容容器（図示省略）へ搬送する搬送部材６６が設けられている。
【００４０】
筐体６２の長手方向一端部側（−Ｘ方向側）の側壁には、図５に示されるように、一対の突出部６３が形成されている。また、筐体６２の長手方向他端部側（Ｘ方向側）の側壁には、挿入孔６５が形成されている。Ｘ方向側のフレーム部材７２に形成された軸部７５が、筐体６２の挿入孔６５に挿入され、かつ、一対の突出部６３が−Ｘ方向側のフレーム部材７２に形成された差込孔７３に差し込まれることで、筐体６２が一対のフレーム部材７２に取り付けられている。
【００４１】
筐体６２の下部には、図４に示されるように、ブレード６４を支持する支持部材６８が取り付けられている。支持部材６８は、駆動ロール４３の軸方向に沿って長さを有しており（図５参照）、駆動ロール４３の軸方向視（Ｘ方向視）にてＬ字状に形成されている。支持部材６８は、例えば、板金で構成されている。
【００４２】
支持部材６８の上部におけるＺ方向側の面には、ブレード６４の下部における−Ｚ方向側の面が固定されている。これにより、ブレード６４は、接触部としての先端側のエッジ６４Ａが中間転写ベルト２４に押し当てられるように筐体６２の開口部６２Ａに配置されている。
【００４３】
ブレード６４は、駆動ロール４３の軸方向に沿って長さを有しており、直方体状（板状）に形成されている。ブレード６４は、弾性体の一例としてのゴム（例えば、ウレタンゴム、天然ゴム、イソプレンゴム、クロロプレンゴム等）で構成されている。
【００４４】
除去装置６０では、ブレード６４の先端部のエッジ６４Ａが中間転写ベルト２４の表面に押し当てられた状態で、中間転写ベルト２４が周回することで、中間転写ベルト２４の表面に残留した残留トナーを掻き取るようになっている。ブレード６４で掻き取った残留トナーは、その自重等により、筐体６２内部の収容空間Ｓに落下するようになっている。
【００４５】
筐体６２の上部には、ブレード６４で掻き取られた残留トナーをブレード６４のエッジ６４Ａに塞き止める塞止部材の一例としての塞止フィルム９０と、塞止フィルム９０によって塞き止められた残留トナーが上方へ漏れるのを抑制する抑制フィルム９２と、が取り付けられている。
【００４６】
塞止フィルム９０及び抑制フィルム９２は、駆動ロール４３の軸方向に沿って長さを有している（図５参照）。塞止フィルム９０及び抑制フィルム９２は、例えば、ＰＥＴなどの可撓性樹脂フィルムで構成されている。
【００４７】
塞止フィルム９０は、その下端部（−Ｙ方向端部）が、ブレード６４の背面（−Ｚ方向側の面）に対して、非固定の状態で接触している。塞止フィルム９０が、残留トナーをブレード６４のエッジ６４Ａに塞き止めることで、ブレード６４のエッジ６４Ａと中間転写ベルト２４とに接するトナー溜りを形成するようになっている。なお、塞止フィルム９０に塞き止められている残留トナーのうち、奥側（−Ｚ方向側）にある残留トナーは、新たにブレード６４によって掻き取られた残留トナーに押されて、ブレード６４と塞止フィルム９０との間を通って、収容空間Ｓに落下する。すなわち、塞止フィルム９０に塞き止められている残留トナーは、新たにブレード６４によって掻き取られた残留トナーと、徐々に置換されていくようになっている。
【００４８】
残留トナーが塞き止められることで形成されるトナー溜りによって、トナーに外添されている外添剤（微粒子）が中間転写ベルト２４とブレード６４との間に介在し、潤滑剤として作用するため中間転写ベルト２４とブレード６４との摩擦が低減される。これにより、中間転写ベルト２４との摩擦によるブレード６４の微小振動が低減され、異常音やブレード６４のエッジ６４Ａの損傷が抑制される。また、トナー溜りは、中間転写ベルト２４と接して中間転写ベルト２４を摩擦するため、中間転写ベルト２４に付着した付着物（放電生成物）が除去される。
【００４９】
抑制フィルム９２は、その下端部（−Ｙ方向端部）が、中間転写ベルト２４の表面に対して、非固定の状態で接触しており、トナー溜りの残留トナーが、筐体６２と中間転写ベルト２４と間を通って上方へ漏れるのを抑制している。
【００５０】
筐体６２は、開口部６２Ａを長手方向に挟んだ両側に、中間転写ベルト２４に対向する対向面６２Ｂを有している。この対向面６２Ｂには、筐体６２と中間転写ベルト２４との間を封止する封止部材の一例としてのシール部材８０が取り付けられている。ブレード６４における長手方向（中間転写ベルト２４の周回方向と交差する交差方向）の両端部に配置されている。
【００５１】
シール部材８０は、トナー溜りの残留トナーが、筐体６２と中間転写ベルト２４との間を通って側方（Ｘ方向及び−Ｘ方向）へ漏れるのを抑制する。シール部材８０は、２層で構成されており、対向面６２Ｂに取り付けられた第１層としてのベースシール８１と、ベースシール８１の表面に取り付けられた第２層としてのサイドシール８２と、を有している。
【００５２】
サイドシール８２のそれぞれは、図６に示されるように、ブレード６４の側方（Ｘ方向、−Ｘ方向）に配置されている。すなわち、図４に示されるように、側方視（Ｘ方向視）にて、ブレード６４と重なる位置に配置されている。サイドシール８２には、Ｙ方向視にて、ブレード６４の長手端部と重なるように、ブレード６４の上側でブレード６４側（Ｘ方向側）へ張り出した張出部８２Ａを有している（図６参照）。サイドシール８２は、図７に示されるように、中間転写ベルト２４側から見て（−Ｚ方向視にて）、ブレード６４及び塞止フィルム９０とは重ならず、抑制フィルム９２の長手方向端部と重なっている。
【００５３】
ベースシール８１は、図４に示されるように、側方視（Ｘ方向視）にて、筐体６２の対向面６２Ｂとサイドシール８２との間に配置され、かつ、ブレード６４及び塞止フィルム９０に対する中間転写ベルト２４とは反対側（背面側（−Ｚ方向側））に配置されている。
【００５４】
ベースシール８１は、図７に示されるように、中間転写ベルト２４側から見て（−Ｚ方向視にて）、ブレード６４のエッジ６４Ａよりも中間転写ベルト２４の周回方向下流側（下方側（−Ｙ方向側））で、ブレード６４の長手方向端部及び塞止フィルム９０の長手方向端部と重なるように、ブレード６４側（Ｘ方向側）に張り出した張出部８１Ａを有している。この張出部８１Ａによって、ブレード６４のエッジ６４Ａから中間転写ベルト２４の周回方向下流側（下方側（−Ｙ方向側））にずれた位置の背面において、塞止フィルム９０の長手方向端部がブレード６４の長手方向端部に押し付けられるようになっている。
【００５５】
換言すれば、ベースシール８１は、ブレード６４のエッジ６４Ａ部分に対する塞止フィルム９０の押し付けを回避する切欠部８１Ｂを、ブレード６４のエッジ６４Ａにおける背面側に有している。
【００５６】
（本実施形態の作用）
次に、本実施形態の作用を説明する。
【００５７】
本実施形態の構成によれば、塞止フィルム９０の長手方向端部がブレード６４の長手方向端部に押し付けられるので、ブレード６４で掻き取った残留トナーが、ブレード６４の長手方向において、効果的に塞き止められ、トナー溜りが形成されない状態が抑制される。
【００５８】
すなわち、塞止フィルム９０の長手方向端部がブレード６４の長手方向端部に押し付けられない比較例の場合では、ブレード６４で掻き取った残留トナーが、ブレード６４の長手方向において、すぐに筐体６２の収容空間Ｓに落下してしまい、トナー溜りが形成されない状態となる。
【００５９】
また、本実施形態の構成によれば、ブレード６４のエッジ６４Ａから中間転写ベルト２４の周回方向下流側（下方側（−Ｙ方向側））にずれた位置で、塞止フィルム９０がブレード６４に押し付けられているので、ブレード６４の長手方向において、ブレード６４のエッジ６４Ａの中間転写ベルト２４に対する接触圧のばらつきが抑制される。
【００６０】
すなわち、ブレード６４のエッジ６４Ａ部分で塞止フィルム９０がブレード６４に押し付けられている比較例では、中間転写ベルト２４へ押される荷重がブレード６４の長手方向端部にのみ付与される状態となり、ブレード６４の長手方向において、ブレード６４のエッジ６４Ａの中間転写ベルト２４に対する接触圧のばらついてしまう。
【００６１】
また、本実施形態では、ベースシール８１が、ブレード６４のエッジ６４Ａ部分に対する塞止フィルム９０の押し付けを回避する切欠部８１Ｂを有しており、ベースシール８１が、異形状に構成されている。このため、塞止フィルム９０を複雑な形状とする必要がなくなる。
【００６２】
また、本実施形態では、転写ユニット７０の引出作業の際に引っ張られる取っ手７０Ａが、ブレード６４の長手方向に少なくとも一部が重なるように除去装置６０の筐体６２に設けられているので、ブレード６４の長手方向外側（Ｘ方向側）に取っ手７０Ａが配置される場合に比べ、除去装置６０の筐体６２とフレーム部材７２との間にガタがあった場合でも、中間転写ベルト２４に対するブレード６４の接触圧における長手方向でのばらつきが抑制される。
【００６３】
すなわち、ブレード６４の長手方向外側（Ｘ方向側）に取っ手７０Ａが配置される比較例では、除去装置６０の筐体６２とフレーム部材７２との間にガタがあった場合では、筐体６２の長手方向端部が引っ張られて筐体６２が中間転写ベルト２４に対して傾き、筐体６２に取り付けられたブレード６４の中間転写ベルト２４に対する接触圧が、その長手方向でばらついてしまう。
【００６４】
（変形例）
なお、実施形態では、像（画像）を保持する像保持体の一例としての中間転写ベルト２４に対して除去装置６０が適用されていたが、これに限られず、例えば、除去装置６０は、像保持体の一例としての感光体３２に適用されていてもよい。すなわち、感光体３２に残留した残留トナーを除去する除去装置５９として、除去装置６０が適用された構成であってもよい。
【００６５】
また、本実施形態では、ベースシール８１が、ブレード６４のエッジ６４Ａ部分に対する塞止フィルム９０の押し付けを回避する切欠部８１Ｂを有していたが、これに限られず、例えば、図８に示されるように、塞止フィルム９０が、ブレード６４のエッジ６４Ａ部分に対する押し付けを回避する切欠部９０Ａを有する構成であってもよい。切欠部９０Ａは、ブレード６４のエッジ６４Ａにおける背面と塞止フィルム９０との間に配置されている。塞止フィルム９０は、長手方向端部に切欠部９０Ａが形成されることによって、図９に示されるように、中間転写ベルト２４側から見て（−Ｚ方向視にて）、コの字状に形成されており、異形状に構成されている。ベースシール８１は、矩形状に形成されており、中間転写ベルト２４側から見て（−Ｚ方向視にて）、ブレード６４のエッジ６４Ａと重なっている。
【００６６】
本変形例の構成においても、ブレード６４のエッジ６４Ａから中間転写ベルト２４の周回方向下流側（下方側（−Ｙ方向側））にずれた位置で、塞止フィルム９０がブレード６４に押し付けられているので、ブレード６４の長手方向において、ブレード６４のエッジ６４Ａの中間転写ベルト２４に対する接触圧のばらつきが抑制される。
【００６７】
さらに、本変形例の構成では、塞止フィルム９０が、塞止フィルム９０のブレード６４のエッジ６４Ａ部分への押し付けを回避するための切欠部９０Ａを有しており、塞止フィルム９０が、異形状に構成されている。このため、ベースシール８１を複雑な形状とする必要がなくなる。
【００６８】
本発明は、上記の実施形態に限るものではなく、種々の変形、変更、改良が可能である。例えば、上記に示した変形例は、適宜、複数を組み合わせて構成しても良い。
【符号の説明】
【００６９】
１０   画像形成装置
１１   画像形成装置本体
２４   中間転写ベルト（像保持体の一例）
６０   除去装置
６２   筐体
６４Ａ エッジ（接触部の一例）
６４   ブレード（掻取部材の一例）
７０Ａ 取っ手
７０   転写ユニット（引出体の一例）
８０   シール部材（封止部材の一例）
８１Ｂ 切欠部
９０   塞止フィルム（塞止部材の一例）
９０Ａ 切欠部
【図１】
0005888102.tif 000002
【図２】
0005888102.tif 000003
【図３】
0005888102.tif 000004
【図４】
0005888102.tif 000005
【図５】
0005888102.tif 000006
【図６】
0005888102.tif 000007
【図７】
0005888102.tif 000008
【図８】
0005888102.tif 000009
【図９】
0005888102.tif 000010